(57)【特許請求の範囲】
【請求項１】
ユーザから購入対象となる商品の条件を受け付けることなく、他の商品と無関係に、複数の店舗において販売される商品、その価格及びその販売店舗を関連付けて登録した商品データベースに含まれる商品及びその価格を店舗毎に対比可能に表示させる商品表示処理部と、
前記商品表示処理部によって表示された商品についてユーザからの指定を受け付ける商品指定処理部と、
前記商品指定処理部において指定された商品に対してユーザから購入の指示を受け付ける購入受付処理部と、
前記商品データベースを参照して前記購入受付処理部において購入が受け付けられた商品と関連付けられている販売店舗を抽出し、前記抽出された販売店舗の提供するウェブサイトの商品の購入サイトへ移行する購入処理部と、
を備えることを特徴とする商品販売システム。
【請求項２】
請求項１に記載の商品販売システムであって、
前記購入処理部は、前記購入サイトにおいて、前記商品指定処理部において指定された商品のうち前記抽出された販売店舗で販売されている商品について纏めて購入処理を実行することを特徴とする商品販売システム。
【請求項３】
請求項１又は２に記載の商品販売システムであって、
前記購入処理部は、前記販売店舗毎に購入金額と配送料とを関連付けて登録した配送料データベースを参照して、前記商品指定処理部において指定された商品のうち前記抽出された販売店舗での購入金額に対応する配送料に応じた処理を行うことを特徴とする商品販売システム。
【請求項４】
請求項３に記載の商品販売システムであって、
前記配送料に応じた処理は、前記商品データベースにおいて前記抽出された販売店舗以外の販売店舗に関連付けられている商品のうち前記商品指定処理部において指定された商品に代えて、当該商品と同一のカテゴリーである前記抽出された販売店舗で販売されている商品の購入を勧める処理であることを特徴とする商品販売システム。
【発明の詳細な説明】
【技術分野】
【０００１】
本発明は、ネットワークを介して商品を販売するための商品販売システムに関する。
【背景技術】
【０００２】
日用品や生鮮食品等を販売する店舗が発行する広告（チラシ）に掲載された情報をウェブサイト上に表示し、広告（チラシ）を入手していなくてもユーザが所望の店舗の商品の価格を確認できるようにするサービスが知られている（非特許文献１〜３）。
【０００３】
これらのサービスでは、単に店舗で販売されている商品の価格を呈示するのみならず、複数の店舗での商品の価格を比較できるように表示することができる。例えば、店舗が存在するエリアや店舗の系列を選択し、同じカテゴリーの商品について複数の店舗での価格を一覧表示することができる（非特許文献３）。
【０００４】
また、インターネット上で商品の選択や購入手続き、決済を実行し、商品を宅配してもらうことで、直接店舗に出向くことなく商品を購入できるネットスーパーのサービスも提供されている（非特許文献４）。
【先行技術文献】
【非特許文献】
【０００５】
【非特許文献１】チラシ情報満載|スーパーのチラシならシュフモ，インターネット  (URL: http://shuf.jp/)
【非特許文献２】Ｓｈｕｆｏｏ！，インターネット (URL:http://www.shufoo.net/)
【非特許文献３】毎日特売，インターネット (URL: http://www.navit-tokubai.jp/)
【非特許文献４】ＳＥＩＹＵドットコム，インターネット (URL: http://www.the-seiyu.com/front/contents/top/)
【発明の概要】
【発明が解決しようとする課題】
【０００６】
ところで、広告（チラシ）の情報を掲載するウェブサイトでは、複数の店舗における商品の価格の比較等を行うことができたが、各店舗のネットスーパーの購入手続きに直接移行することはできなかった。
【０００７】
本発明は、複数の店舗における商品の価格を比較できるとともに、商品を購入する際に各店舗の購入手続きに直接移行することができる商品販売システムを提供することを目的とする。
【課題を解決するための手段】
【０００８】
本発明の１つの態様は、ユーザから購入対象となる商品の条件を受け付けることなく、他の商品と無関係に、複数の店舗において販売される商品、その価格及びその販売店舗を関連付けて登録した商品データベースに含まれる商品及びその価格を店舗毎に対比可能に表示させる商品表示処理部と、前記商品表示処理部によって表示された商品についてユーザからの指定を受け付ける商品指定処理部と、前記商品指定処理部において指定された商品に対してユーザから購入の指示を受け付ける購入受付処理部と、前記商品データベースを参照して前記購入受付処理部において購入が受け付けられた商品と関連付けられている販売店舗を抽出し、前記抽出された販売店舗の提供するウェブサイトの商品の購入サイトへ移行する購入処理部と、を備えることを特徴とする商品販売システムである。
【０００９】
ここで、前記購入処理部は、前記購入サイトにおいて、前記商品指定処理部において指定された商品のうち前記抽出された販売店舗で販売されている商品について纏めて購入処理を実行することが好適である。
【００１０】
また、前記購入処理部は、前記販売店舗毎に購入金額と配送料とを関連付けて登録した配送料データベースを参照して、前記商品指定処理部において指定された商品のうち前記抽出された販売店舗での購入金額に対応する配送料に応じた処理を行うことが好適である。
【００１１】
また、前記配送料に応じた処理は、前記商品データベースにおいて前記抽出された販売店舗以外の販売店舗に関連付けられている商品のうち前記商品指定処理部において指定された商品に代えて、当該商品と同一のカテゴリーである前記抽出された販売店舗で販売されている商品の購入を勧める処理であることが好適である。
【発明の効果】
【００１２】
本発明によれば、複数の店舗における商品の価格を比較できるとともに、商品を購入する際に各店舗の購入手続きに直接移行することができる商品販売システムを提供することができる。
【図面の簡単な説明】
【００１３】
【図１】本発明の実施の形態における商品販売システムの構成を示す図である。
【図２】本発明の実施の形態における情報端末の構成を示す図である。
【図３】本発明の実施の形態におけるサーバの構成を示す図である。
【図４】本発明の実施の形態における商品データベースの登録例を示す図である。
【図５】本発明の実施の形態における店舗データベースの登録例を示す図である。
【図６】本発明の実施の形態における商品販売方法を示すフローチャートである。
【図７】本発明の実施の形態における商品販売画面（店舗毎）の表示例を示す図である。
【図８】本発明の実施の形態における商品販売画面（カテゴリー毎）の表示例を示す図である。
【図９】本発明の実施の形態における商品販売画面（特売）の表示例を示す図である。
【図１０】本発明の実施の形態における購入データベースの登録例を示す図である。
【図１１】本発明の実施の形態におけるメモ画面の表示例を示す図である。
【図１２】本発明の実施の形態におけるメモ画面の表示例を示す図である。
【図１３】変形例１における商品販売方法を示すフローチャートである。
【図１４】変形例１における配送料データベースの登録例を示す図である。
【図１５】変形例１における配送料の表示例を示す図である。
【図１６】変形例２における商品販売方法を示すフローチャートである。
【図１７】変形例２における配送料の表示例を示す図である。
【図１８】変形例２における代替商品の購入推薦の表示例を示す図である。
【図１９】変形例２における代替商品の購入推薦の表示例を示す図である。
【発明を実施するための形態】
【００１４】
＜実施の形態＞
本発明の実施の形態における商品販売システムは、図１に示すように、情報端末１００、サーバ１０２及び店舗サーバ１０４を含んで構成される。情報端末１００、サーバ１０２及び店舗サーバ１０４は、情報通信網１０６を介して互いに通信可能に接続される。商品販売システムにおいて、情報端末１００及び店舗サーバ１０４は複数接続されていてもよい。
【００１５】
情報端末１００は、図２に示すように、処理部１０、記憶部１２、入力部１４、出力部１６及び通信部１８を含んで構成される。情報端末１００は、携帯電話、スマートフォン、タブレット端末等の通信可能な携帯端末の基本構成を備えている。
【００１６】
処理部１０は、ＣＰＵ等の演算処理を行う手段を含む。処理部１０は、記憶部１２に記憶されている携帯端末プログラムを実行することによって、情報端末１００において利用できる機能を実現する。記憶部１２は、半導体メモリやメモリカード等の記憶手段を含む。記憶部１２は、処理部１０とアクセス可能に接続され、携帯端末プログラム、情報端末１００で処理されるデータ及びデータベース等の情報を記憶する。本実施の形態では、携帯端末プログラムは、ブラウザによってサーバ１０２から提供される商品販売の情報及び画像をユーザに呈示し、ユーザからの入力に応じて処理を行うためのプログラムである。入力部１４は、情報端末１００に情報を入力する手段を含む。入力部１４は、例えば、ユーザからの入力を受けるタッチパネルやボタン等を備える。出力部１６は、ユーザから入力情報を受け付けるためのユーザインターフェース画面（ＵＩ）等や情報端末１００での処理結果を出力する手段を含む。出力部１６は、例えば、ユーザに対して画像を呈示するディスプレイを備える。通信部１８は、情報通信網１０６を介して、他の情報通信機器と情報をやり取りするためのインターフェースを含んで構成される。通信部１８による通信は有線及び無線を問わない。
【００１７】
サーバ１０２は、図３に示すように、処理部２０、記憶部２２、入力部２４、出力部２６及び通信部２８を含んで構成される。サーバ１０２は、通信機能を備えたコンピュータの基本構成を備えている。
【００１８】
処理部２０は、ＣＰＵ等の演算処理を行う手段を含む。処理部２０は、記憶部２２に記憶されているサーバプログラムを実行することによって、情報端末１００において利用できる機能を制御する。記憶部２２は、半導体メモリ、ハードディスク等の記憶手段を含む。記憶部２２は、処理部２０とアクセス可能に接続され、サーバプログラム、サーバ１０２で利用されるデータ及びデータベース等の情報を記憶する。本実施の形態では、サーバプログラムは、情報端末１００に提供される商品販売の情報の処理及び画像の生成等を行うプログラムである。入力部２４は、サーバ１０２に情報を入力する手段を含む。入力部２４は、例えば、広告情報を管理する管理者からの入力を受けるキーボード等を備える。出力部２６は、管理者から入力情報を受け付けるためのユーザインターフェース画面（ＵＩ）等やサーバ１０２での処理結果を出力する手段を含む。出力部２６は、例えば、管理者に対して画像を呈示するディスプレイを備える。通信部２８は、情報通信網１０６を介して、情報端末１００や他の情報通信機器と情報をやり取りするためのインターフェースを含んで構成される。通信部２８による通信は有線及び無線を問わない。
【００１９】
サーバ１０２の記憶部２２には、商品データベース及び店舗データベースが登録及び記憶される。商品データベース及び店舗データベースは、商品販売処理を開始するまえに予めサーバ１０２の記憶部２２に登録される。
【００２０】
商品データベースには、商品ＩＤに関連付けられて商品に関する広告情報が登録される。広告情報は、販売対象となる商品、販売店舗、商品の数量、価格、販売期間を含む。広告情報は、さらに、商品のカテゴリー、広告の添付情報、特売情報、画像データ等を含んでもよい。例えば、図４に示すように、商品ＩＤ、店舗ＩＤ、商品、数量、価格、販売期間、カテゴリー、添付情報、特売情報及び画像データが関連付けて登録される。一例として、商品ＩＤ「０１」には、店舗ＩＤ「Ｓ０１」、商品「牛肉」、数量「１００ｇ」、価格「３００円」、販売期間「１１月１日〜１１月３日」、カテゴリー「肉」、添付情報「国産牛肉」、特売であることを示す情報及び商品の画像データ「Ｄ０１」が関連付けて登録されている。また、他の商品ＩＤについても同様に広告情報が関連付けて登録されている。
【００２１】
広告情報は、各店舗が発行した広告（チラシ）に基づいて、入力部２４を用いて、サーバ１０２の管理者が入力すればよい。また、広告情報は、情報通信網１０６を介して、販売店舗からデジタルデータとして取得してもよい。
【００２２】
店舗データベースには、店舗ＩＤに関連付けられて商品販売システムの対象となる店舗に関する情報が登録される。店舗に関する情報は、店舗名、系列、エリア及び購入サイトＵＲＬを含む。ここで、系列とは、フランチャイズ等の各店舗が属するグループを意味する。エリアは、各店舗がある地域を意味する。購入サイトＵＲＬは、各店舗が提供する商品購入のためのウェブサイトにアクセスするためのＵＲＬである。例えば、図５に示すように、店舗ＩＤ、店舗名、系列（フランチャイズ）、エリア及び購入サイトＵＲＬが関連付けて登録される。
【００２３】
店舗に関する情報は、入力部２４を用いて、サーバ１０２の管理者が入力すればよい。また、情報通信網１０６を介して、販売店舗からデジタルデータとして取得してもよい。
【００２４】
店舗サーバ１０４は、商品販売サービスにおいて商品を販売する販売サイトを運用するサーバである。店舗サーバ１０４は、例えば、商品販売サービスにおいて商品を販売する店舗に備え付けられ、情報端末１００からのアクセスを受けると商品を販売するための販売サイトで商品の購入に処理を受け付ける。
【００２５】
以下、図６のフローチャートを参照して、ウェブサイトを利用した商品販売サービスを提供する方法について説明する。なお、以下の処理は、それぞれ情報端末１００、サーバ１０２及び店舗サーバ１０４のいずれかにおいて対応する手段として実現される。
【００２６】
ステップＳ１０では、情報端末１００からサーバ１０２へ商品販売サービスへの要求が行われる。このステップでの処理は、商品販売受付部（商品販売受付手段）として機能する。本実施の形態では、商品販売サービスはウェブアプリケーションとして提供される。ユーザは、情報端末１００に予め導入されているブラウザを用いて商品販売サービスのＵＲＬにアクセスする。商品販売サービスのＵＲＬは、商品販売サービスへのユーザ登録等に伴って予めサーバ１０２から情報端末１００へ提供しておけばよい。これによって、情報端末１００からサーバ１０２へ商品販売サービスの提供が要求され、商品販売サービスが開始される。
【００２７】
ステップＳ１２では、商品販売画面データ等の初期設定情報の生成・送信処理が行われる。このステップでの処理は、初期設定部（初期設定手段）として機能する。サーバ１０２は、情報端末１００から商品販売サービスのＵＲＬに対するアクセスを受けると、記憶部２２から商品販売画面データを生成して、商品販売画面データ及びその他の初期設定情報を情報端末１００に送信する。
【００２８】
商品販売画面は、例えば図７に示すように、店舗毎に商品情報をユーザに呈示するための画像とすることができる。サーバ１０２は、店舗データベースを参照して、店舗データベースに登録されている各店舗を複数のタブ２００に割り当てる。そして、タブ２００毎に割り当てられた店舗で販売されている商品の情報を纏めた画像とする。サーバ１０２は、各タブ２００を複数の商品表示領域２０２に分割し、記憶部２２に記憶されている商品データベースを参照し、商品表示領域の各々にそのタブ２００の店舗ＩＤに関連付けられている商品、商品の価格、数量、期間、添付情報、画像データ等を表示させる商品販売画面データを生成する。この商品販売画面によれば、店舗毎に商品の価格を対比して確認することが可能である。
【００２９】
また、商品販売画面は、例えば図８に示すように、商品のカテゴリー毎に商品情報をユーザに呈示するための画像とすることができる。サーバ１０２は、商品データベースを参照して、商品データベースに登録されている商品の各カテゴリーを複数のタブ２０４に割り当てる。そして、タブ２０４毎に割り当てられたカテゴリー毎に商品の情報を纏めた画像とする。サーバ１０２は、各タブ２０４を複数の商品表示領域２０６に分割し、記憶部２２に記憶されている商品データベースを参照し、商品表示領域の各々にそのタブ２０４のカテゴリーに関連付けられている商品、商品の価格、数量、期間、添付情報、画像データを表示させる商品販売画面データを生成する。この商品販売画面によれば、カテゴリー毎に商品の価格を対比して確認することが可能である。
【００３０】
また、商品販売画面は、例えば図９に示すように、特売商品を纏めてユーザに呈示するための画像とすることができる。サーバ１０２は、商品データベースを参照して、商品データベースに登録されている商品の販売期間を複数のタブ２０８に割り当てる。そして、タブ２０８毎に割り当てられた日毎に特売商品の情報を纏めた画像とする。サーバ１０２は、画面を商品表示領域２１０に分割し、商品データベースを参照して、各商品データベースに特売商品として登録されている商品、商品の価格、数量、期間、添付情報、画像データを表示させる商品販売画面データを生成する。特売商品は、例えば、店舗毎に纏めて表示させるようにしてもよい。この商品販売画面によれば、特売である商品の価格を対比して確認することが可能である。
【００３１】
なお、図７〜図９の商品販売画面（店舗毎、カテゴリー毎、特売商品）を切り替えて表示できるようにしてもよい。例えば、画面上にメインタブ２１２を設け、メインタブ２１２の各々に各商品販売画面を割り当てて、切り替えて表示できるようにしてもよい。
【００３２】
また、各商品販売画面の商品表示領域２０２，２０６，２１０と、表示された商品と、を関連付けて表示データベースとして登録する。表示データベースは、サーバ１０２の記憶部２２に記憶される。これにより、各商品販売画面上において商品表示領域２０２，２０６，２１０のいずれかを指定することにより、そこに表示された商品を購入する商品として選択することができる。購入商品の選択処理については後述する。
【００３３】
サーバ１０２は、生成した商品販売画面データ、商品データベース、店舗データベース及び表示データベースを含む初期設定情報を商品販売サービスのＵＲＬにアクセスした情報端末１００へ送信する。
【００３４】
ステップＳ１４では、情報端末１００にて商品販売画面が表示される。このステップでの処理は、商品表示処理部（商品表示処理手段）として機能する。情報端末１００は、サーバ１０２から商品販売画面データを含む初期設定情報を受信し、商品販売画面データに基づいてブラウザ上において商品販売画面を表示させる。
【００３５】
上記のように、商品販売画面は、商品販売サービスによって提供される商品の情報を含んでいる。したがって、ユーザは、ブラウザ上において、メインタブ２１２やタブ２００，２０４，２０８を選択（タッチパネルの場合にはタップ）して画面を切り替えながら、店舗毎、カテゴリー毎、特売商品毎に商品の価格を比較して確認することができる。
【００３６】
ステップＳ１６では、購入する商品の指定処理が行われる。このステップでの処理は、商品指定処理部（商品指定処理手段）として機能する。ユーザは、情報端末１００の入力部１４を用いて、商品販売画面に表示されている商品のうち購入しようとする商品を指定する。入力部１４がタッチパネルの場合、商品販売画面に表示されている商品がタップされると、情報端末１００は表示データベースを参照して、ユーザによってタップされた商品表示領域２０２，２０６，２１０に関連付けられている商品が指定されたものとする。
【００３７】
ステップＳ１８では、指定された商品を購入データベースに登録する処理が行われる。このステップでの処理は、購入登録処理部（購入登録処理手段）として機能する。購入データベースは、ステップＳ１６において指定された商品を登録したデータベースである。情報端末１００は、図１０の購入データベースの登録例のように、ステップＳ１６で指定された商品の商品ＩＤ及び購入数量を記憶部１２に登録する。購入数量は、商品が指定されたときに、数量を入力するインターフェース画面を表示させ、入力部１４を用いてユーザに入力させてもよい。
【００３８】
なお、購入する商品の指定処理（ステップＳ１６）及び購入データベースへの登録処理（ステップＳ１８）は繰り返し行ってもよい。すなわち、ユーザが購入しようとする商品がすべて選択されるまで処理を繰り返し行えばよい。
【００３９】
ステップＳ２０では、購入処理の指示が受け付けられる。このステップでの処理は、購入受付処理部（購入受付処理手段）として機能する。ユーザが商品販売画面のメモ領域２１４を選択すると、情報端末１００はメモ画像データを生成して、メモ画像データに基づいてメモ画像を表示させる。メモ画像は、図１１の例に示すように、店舗毎に購入しようとしている商品を纏めて表示する画像である。情報端末１００は、記憶部１２に記憶されている購入データベースから登録されている商品ＩＤを読み出し、商品データベースを参照して読み出した商品ＩＤに関連付けられている店舗毎に商品表示領域２２０を設け、商品表示領域２２０毎に各店舗で購入対象とされた商品に関する情報を含むメモ画像データを生成する。商品に関する情報は、商品名、添付情報、数量、価格、画像データの少なくとも１つを含めることが好適である。また、店舗毎に購入ボタン領域２２２を設ける。各購入ボタン領域２２２には対応する店舗の店舗ＩＤが関連付けられる。情報端末１００は、生成されたメモ画像データに基づいて、出力部１６にメモ画像を表示させる。
【００４０】
なお、メモ画面は、店舗においてユーザが買い物をする際の備忘録として用いることができる。例えば、図１１に例示したように、メモ画面に表示された商品毎に「買った」ボタン領域２２４を設け、「買った」ボタン領域２２４を選択（タッチパネルの場合にはタップ）すると、対応する商品表示領域２２０をその商品を購入したことを示す画像（購入済画像２２６）に書き換える。購入済画像２２６は、例えば図１２に示すように、商品表示領域２２０の表示を薄くした画像（図面上ではハッチングで示す）とすればよい。また、購入済画像２２６には「戻す」ボタン領域２２８を設け、「戻す」ボタン領域２２８を選択（タッチパネルの場合にはタップ）すると、対応する購入済画像２２６を元の商品表示領域２２０に書き換えてもよい。これにより、ユーザがインターネットから商品を購入するのではなく、実際の店舗に赴いて商品を購入したときにその商品を購入したことを忘れずに記録するメモとして利用することができる。
【００４１】
インターネットを介して商品を購入する場合、ユーザは、メモ画面が表示されている状態において店舗毎に設けられている購入ボタン領域２２２を選択（タッチパネルの場合にはタップ）する。これによって、選択された購入ボタン領域２２２に対応する店舗に対する購入指示が受け付けられる。
【００４２】
ステップＳ２２では、購入対象となった店舗の商品の購入サイトへのアクセスが行われる。このステップでの処理は、購入処理部（購入処理手段）として機能する。情報端末１００は、購入ボタン領域２２２の選択による購入指示を受け付けると、選択された購入ボタン領域２２２に関連付けられている店舗ＩＤを抽出し、店舗データベースから当該店舗ＩＤに関連付けられている購入サイトＵＲＬを読み出す。そして、情報端末１００は、ブラウザを介して、読み出された購入サイトＵＲＬにアクセスする。これによって、商品の価格を比較可能なアプリケーションから、店舗サーバ１０４によって提供されている購入サイトに直接移行する。
【００４３】
このとき、選択された店舗について購入する商品に関する情報を纏めて購入サイトへ送信するようにしてもよい。情報端末１００は、購入データベースを参照し、選択された購入ボタン領域２２２に対応する店舗ＩＤに関連付けられている商品ＩＤ及び購入数量を読み出す。さらに、情報端末１００は、商品データベースを参照し、読み出された商品ＩＤに関連付けられている商品の情報及び購入数量を店舗の購入サイトを提供する店舗サーバ１０４へ送信する。
【００４４】
ステップＳ２４では、店舗サーバ１０４において購入サイトでの処理が行われる。このステップでの処理は、購入サイト処理部（購入サイト処理手段）として機能する。店舗サーバ１０４は、情報端末１００から購入サイトへのアクセスを受けて、情報端末１００との間で商品の購入処理を実行する。商品の購入処理については、周知の方法を適用することができる。
【００４５】
また、情報端末１００から購入する商品に関する情報及び購入数量が送信されている場合、店舗サーバ１０４は、購入する商品に関する情報及び購入数量を受信し、受信した情報に基づいて購入サイトにおいて購入する商品及び購入数量等の情報を自動的に設定してもよい。
【００４６】
このように、本実施の形態における商品販売システムによれば、複数の店舗における商品の価格を比較できるとともに、商品を購入する際に各店舗の購入サイトに直接移行することができる。これにより、ユーザの負担を軽減することができる。
【００４７】
＜変形例１＞
なお、商品の購入の際に配送料を考慮した処理を行ってもよい。本変形例では、商品の購入処理が指示された場合に配送料を表示させる処理を行う。本変形例における処理は、図１３のフローチャートのように、ステップＳ２０の購入処理の受付の後にステップＳ３０を追加することによって実行することができる。
【００４８】
ステップＳ３０では、配送料の表示処理が行われる。このステップでの処理は、購入処理部（購入処理手段）の一部として機能する。情報端末１００は、購入処理の指示を受け付けると、配送料データベースを参照して購入先となる店舗における配送料を出力部１６に表示する。
【００４９】
配送料データベースは、図１４に示すように、店舗ＩＤ、購入金額及び配送料を関連付けて登録したデータベースである。配送料データベースは、商品販売処理を開始するまえに予めサーバ１０２の記憶部２２に登録され、必要に応じて初期設定情報に含めて情報端末１００へ送信される。
【００５０】
情報端末１００は、購入データベースを参照して、購入先となる店舗ＩＤに関連付けられているすべての商品ＩＤ及びその購入数量を抽出する。そして、情報端末１００は、商品データベースを参照して、抽出した商品ＩＤに関連付けられている価格を求め、価格と購入数量とを乗算して商品毎の購入金額を算出する。すべての購入商品について購入金額を算出すると、それらを足し合わせて購入先となる店舗に対する購入金額合計を算出する。
【００５１】
購入金額を算出すると、情報端末１００は、配送料データベースを参照して、購入先となる店舗ＩＤと算出した購入合計金額との組み合わせに関連付けられている配送料を抽出する。例えば、店舗ＩＤ「Ｓ０１」で表わされる店舗「スーパーＡ」に対して購入指示が受け付けられ、その購入合計金額が１０００円未満である場合には配送料は３００円となる。また、購入合計金額が１０００円以上である場合には配送料は１００円となり、さらに２０００円以上である場合には配送料は無料となる。
【００５２】
次に、情報端末１００は、図１５に例示するように、抽出された配送料を出力部１６の配送料表示領域２３０に表示し、ユーザに配送料を呈示する。ユーザが確認後（例えば、確認ボタン２３２をタップした場合）、ステップＳ２２に進み、店舗の購入サイトへ移行する。
【００５３】
このように、本変形例では、各店舗での購入の合計金額に応じた配送料をユーザに呈示することによって、ユーザが配送料を確認した上で購入サイトへの移行を行うことができる。
【００５４】
＜変形例２＞
上記変形例１では、店舗毎の購入合計金額に応じた配送料をユーザに呈示するものとしたが、購入金額に応じて配送料が段階的に設定されている場合、配送料を安くするためにさらなる商品の購入を促す処理を行ってもよい。
【００５５】
本変形例における処理は、図１６のフローチャートのように、ステップＳ２０の購入処理の受付の後にステップＳ３２〜Ｓ３４を追加することによって実行することができる。ステップＳ３２〜Ｓ３４での処理は、購入処理部（購入処理手段）の一部として機能する。
【００５６】
ステップＳ３２では、配送料の確認処理が行われる。情報端末１００は、購入処理の指示を受け付けると、配送料データベースを参照して購入先となる店舗における商品の購入金額の合計を算出し、配送料を安くする条件を求める。
【００５７】
情報端末１００は、購入データベースを参照して、購入先となる店舗ＩＤに関連付けられているすべての商品ＩＤ及びその購入数量を抽出する。そして、情報端末１００は、商品データベースを参照して、抽出した商品ＩＤに関連付けられている価格を求め、価格と購入数量とを乗算して商品毎の購入金額を算出する。すべての購入商品について購入金額を算出すると、それらを足し合わせて購入先となる店舗に対する購入金額合計を算出する。
【００５８】
次に、情報端末１００は、配送料データベースを参照し、購入先となる店舗ＩＤと算出された購入合計金額との組み合わせに関連付けられている配送料を抽出する。このとき、現在の購入合計金額が当てはまる条件よりも配送料を安くする条件が存在すれば、その条件を満たすための購入金額を求め、その購入金額と現在の購入合計金額と差額を算出する。
【００５９】
例えば、店舗ＩＤ「Ｓ０１」で表わされる店舗「スーパーＡ」に対して購入指示が受け付けられ、その購入合計金額が９６０円である場合には配送料は３００円となる。このとき、購入合計金額が１０００円以上である場合には配送料は１００円となるので、１０００円−９６０円＝４０円を差額として算出する。また、さらに２０００円以上である場合には配送料は無料となるとなるので、２０００円−９６０円＝１０４０円を差額として算出する。
【００６０】
ステップＳ３４では、情報端末１００は、図１７に例示するように、現在の購入合計金額に応じた配送料及びさらに配送料を安くするために購入が必要な差額を含む情報を出力部１６の配送料表示領域２４０に表示してユーザに呈示する。
【００６１】
ユーザがさらに購入を希望する場合、メインタブ２１２のいずれかを選択することによってステップＳ１６に戻り、商品の追加購入処理を行う。一方、ユーザが確認ボタン２４２を選択した場合、ステップＳ２２に進み、店舗の購入サイトへ移行する。
【００６２】
なお、ステップＳ３４では、購入の指示を受け付けた店舗以外の店舗の商品について購入データベースに登録がある場合、購入の指示を受け付けた店舗においてその商品と同じカテゴリーの商品が販売されていれば購入の指示を受け付けた店舗の商品を代りに購入することを勧めるように処理してもよい。
【００６３】
この場合、情報端末１００は、まず購入データベースを参照し、購入の指示を受け付けた店舗以外の店舗と関連付けられて購入対象として登録されている商品ＩＤを抽出する。そして、商品データベースを参照して、抽出された商品ＩＤに関連付けられているカテゴリーを抽出し、さらに抽出されたカテゴリーと同じカテゴリー及び購入の指示を受けた店舗の店舗ＩＤに関連付けられている商品を抽出して、ユーザに当該抽出された商品の購入を勧める。
【００６４】
例えば、図１０の購入データベースでは商品ＩＤ「０１」及び「０６」が店舗「スーパーＡ」での購入対象商品であり、商品ＩＤ「０２」が店舗ＩＤ「Ｓ０１」以外の店舗（店舗ＩＤ「Ｓ０２」の店舗「スーパーＢ」）での購入対象商品である。店舗ＩＤ「Ｓ０１」の店舗「スーパーＡ」が購入指示の対象として指定されたとき、図４の商品データベースでは、店舗「スーパーＡ」以外の店舗「スーパーＢ」での購入対象商品である商品ＩＤ「０２」にはカテゴリー「野菜」が関連付けられているので、同じカテゴリー「野菜」と店舗「スーパーＡ」（店舗ＩＤ「Ｓ０１」）とに関連付けられている商品ＩＤ「０３」の「キャベツ」が代替購入商品として抽出される。そこで、図１８に示すように、店舗「スーパーＢ」から購入する予定となっている商品ＩＤ「０２」の「キャベツ」の代りに、店舗「スーパーＡ」から商品ＩＤ「０３」の「キャベツ」を購入することを勧める表示を行う。
【００６５】
なお、代替商品を勧める処理はこれに限定されるものではなく、購入指示の対象でない店舗での購入対象商品と同一の商品名を有し、購入指示の対象である店舗で販売されている商品を勧めるものとしてもよい。
【００６６】
また、図１９に示すように、代替商品として推薦する商品に関する情報を商品表示領域２４４に表示させるようにしてもよい。さらに、商品表示領域２４４を指定（タッチパネルの場合にはタップ）することによって、代替商品を購入データベースに登録するようにしてもよい。
【００６７】
また、上記実施の形態及び変形例において情報端末１００、サーバ１０２及び店舗サーバ１０４で行われる処理の一部又は全部は、情報端末１００、サーバ１０２及び店舗サーバ１０４のいずれで行うようにしてもよい。すなわち、情報端末１００、サーバ１０２及び店舗サーバ１０４の間において必要な情報の交換が可能であれば、各ステップにおける処理は情報端末１００、サーバ１０２及び店舗サーバ１０４のいずれで行ってもよい。
【符号の説明】
【００６８】
１０  処理部、１２  記憶部、１４  入力部、１６  出力部、１８  通信部、２０  処理部、２２  記憶部、２４  入力部、２６  出力部、２８  通信部、１００  情報端末、１０２  サーバ、１０４  店舗サーバ、１０６  情報通信網、２００，２０４，２０８  タブ、２０２，２０６，２１０  商品表示領域、２１２  メインタブ、２１４  メモ領域、２２０  商品表示領域、２２２  購入ボタン領域、２２４  「買った」ボタン領域、２２６  購入済画像、２２８  「戻す」ボタン領域、２３０  配送料表示領域、２３２  確認ボタン、２４０  配送料表示領域、２４２  確認ボタン、２４４  商品表示領域。
【図１】
0005918824.tif 000002
【図２】
0005918824.tif 000003
【図３】
0005918824.tif 000004
【図４】
0005918824.tif 000005
【図５】
0005918824.tif 000006
【図６】
0005918824.tif 000007
【図７】
0005918824.tif 000008
【図８】
0005918824.tif 000009
【図９】
0005918824.tif 000010
【図１０】
0005918824.tif 000011
【図１１】
0005918824.tif 000012
【図１２】
0005918824.tif 000013
【図１３】
0005918824.tif 000014
【図１４】
0005918824.tif 000015
【図１５】
0005918824.tif 000016
【図１６】
0005918824.tif 000017
【図１７】
0005918824.tif 000018
【図１８】
0005918824.tif 000019
【図１９】
0005918824.tif 000020